(57)【要約】【課題】後加工における作業性を大幅に向上した剥離シート付両面粘着テープ、及び両面粘着テープによる貼付方法を提供すること。【解決手段】剥離シート１ｂと両面粘着テープ１ａが貼り合わされた剥離シート付両面粘着テープ１において、上記剥離シート１ｂの一部に片面粘着テープ２の一部が貼付されている剥離シート付両面粘着テープ１。上記剥離シート１ｂの剥離剤と、上記片面粘着テープ２の粘着剤とが同系の材料（シリコーン系の材料）から構成されている剥離シート付両面粘着テープ。上記の剥離シート付両面粘着テープ１を被着体に貼付し、上記剥離シート１ｂの一部に片面粘着テープ２の一部を貼付し、該片面粘着テープ２を掴持して上記剥離シート１ｂを引き剥がし、両面粘着テープ１ａを露出させる両面粘着テープによる貼付方法。【選択図】      図１
2012017397.tif 000002
【特許請求の範囲】
【請求項１】
剥離シートと両面粘着テープが貼り合わされた剥離シート付両面粘着テープにおいて、上記剥離シートの一部に片面粘着テープの一部が貼付されていることを特徴とする剥離シート付両面粘着テープ。
【請求項２】
上記剥離シートの剥離剤と、上記片面粘着テープの粘着剤とが同系の材料から構成されていることを特徴とする請求項１記載の剥離シート付両面粘着テープ。
【請求項３】
上記剥離シートの剥離剤と、上記片面粘着テープの粘着剤とがシリコーン系の材料から構成されていることを特徴とする請求項２記載の剥離シート付両面粘着テープ。
【請求項４】
請求項１〜請求項３の何れかに記載の剥離シート付両面粘着テープを被着体に貼付し、上記剥離シートの一部に片面粘着テープの一部を貼付し、該片面粘着テープを掴持して上記剥離シートを引き剥がし、両面粘着テープを露出させる両面粘着テープによる貼付方法。
【請求項５】
請求項１〜請求項３何れか記載の剥離シート付両面粘着テープが貼り付けられた物品。
【発明の詳細な説明】
【技術分野】
【０００１】
本発明は、例えば、カーシートヒータなど、種々の物品を貼り付けるために使用される剥離シート付両面粘着テープ、両面粘着テープによる貼付方法、及び、剥離シート付両面粘着テープが貼り付けられた物品に係り、特に、後加工における作業性を大幅に向上したものに関する。
【背景技術】
【０００２】
従来より、両面が接着性を有する両面粘着テープは、種々の形態のものが一般に販売されており、片面が剥離シートで覆われた状態で巻物状に巻かれたものや、両面を剥離シートで挟持されたものなどが知られている。この両面粘着テープは、片面に剥離シートを付したまま、もう一方の面を物品に貼付し、その後、剥離シートを剥離して、他の物品と貼り合せるものである。
【０００３】
このような両面粘着テープは、例えば、車両用シートにおけるヒータユニット（所謂カーシートヒータ）においても、ヒータユニットを車両用シートのクッション部に固定するために使用されている。ここで、ヒータユニットの製造と車両用シートの組立は通常別の工程である。そのため、工程間でヒータユニットを搬送する際には、ゴミや他の物品等が貼り付かないように、両面粘着テープの片面を剥離シートで覆ったままの状態としておき、車両用シートに組み付ける際に、剥離シートを剥離して、車両用シートにヒータユニットを固定することになる。
【０００４】
本件に関連する技術として、例えば、特許文献１が当該出願人より出願されている。また、ヒータユニットに関連する技術としては、当該出願人より、例えば特許文献２などが出願されている。
【先行技術文献】
【特許文献】
【０００５】
【特許文献１】特開２０１０−７０６８２公報：クラベ
【特許文献２】特許第４２０２０７１号公報：クラベ
【発明の開示】
【発明が解決しようとする課題】
【０００６】
ここで、上記した従来の両面粘着テープの場合、両面粘着テープの端部と剥離シートの端部が均一に揃ってしまっているため、剥離シートのみを掴持することができず、剥離シートのみを剥離することが困難である。実際の作業においては、作業者の怪我防止や製品の保護のため、作業者は軍手等の保護具を装着して作業を行うため、剥離シートのみを剥離することは更に困難になる。このような困難な作業であるため、剥離シートのみを剥離しようとして、両面粘着テープまでもヒータユニットから剥がしてしまうことがあった。特に、不織布を基材布としたヒータユニットにおいては、一度貼り付けた両面粘着テープを剥がすと、両面粘着テープに不織布の繊維が付着するため、貼り直しをすることはできない。ヒータユニットを車両用シートに組み付ける作業は、正確な位置合わせをしなければ、設計で意図した加熱ができなくなるとともに、シートヒータにシワが発生してヒータ線の断線を引き起こしてしまうことになる。そのため、シートヒータ組み付け作業における負担を軽減するように、できるかぎり剥離シートを剥離する作業を容易なものとする必要があった。
【０００７】
本発明はこのような従来技術の課題を解決するためになされたもので、その目的とするところは、後加工における作業性を大幅に向上した剥離シート付両面粘着テープ、及び両面粘着テープによる貼付方法を提供することにある。
【課題を解決するための手段】
【０００８】
上記目的を達成するべく、本発明の請求項１による剥離シート付両面粘着テープによる貼付方法は、剥離シートと両面粘着テープが貼り合わされた剥離シート付両面粘着テープにおいて、上記剥離シートの一部に片面粘着テープの一部が貼付されていることを特徴とする剥離シート付両面粘着テープ。
又、請求項２記載の剥離シート付両面粘着テープは、上記剥離シートの剥離剤と、上記片面粘着テープの粘着剤とが同系の材料から構成されていることを特徴とするものである。
又、請求項３記載の剥離シート付両面粘着テープは、上記剥離シートの剥離剤と、上記片面粘着テープの粘着剤とがシリコーン系の材料から構成されていることを特徴とするものである。
又、請求項４記載の両面粘着テープによる貼付方法は、上記の剥離シート付両面粘着テープを被着体に貼付し、上記剥離シートの一部に片面粘着テープの一部を貼付し、該片面粘着テープを掴持して上記剥離シートを引き剥がし、両面粘着テープを露出させるものである。
又、請求項５記載の物品は、上記の剥離シート付両面粘着テープが貼り付けられたものである。
【発明の効果】
【０００９】
本発明によれば、片面粘着テープの部分を掴持して引き剥がすことができるため、作業者は剥離シート自体を掴持する必要はない。掴持しやすい片面粘着テープの部分を掴持すれば良いため、例え軍手などの保護具を装着していても容易に作業することができ、作業性を向上させることができる。
【図面の簡単な説明】
【００１０】
【図１】本発明による剥離シート付両面粘着テープの構成を示す概略斜視図である。
【図２】本発明による剥離シート付両面粘着テープが貼り付けられたヒータユニットを示す図である。
【発明を実施するための最良の形態】
【００１１】
以下に、示す図面を参照しながら本発明の実施の形態を説明する。
【００１２】
まず、剥離シート付両面粘着テープ１として、一般に両面テープとして市販されているものを用意する。これは、両面が接着性を有する両面粘着テープ１ａと、該両面粘着テープ１ａの片面を覆う剥離シート１ｂとからなるもので、幅３０ｍｍの帯状のものが巻物状に巻き取られた形状となっている。なお、剥離シート１ｂは、両面にシリコーン系の剥離材が塗布されたものである。
【００１３】
このような剥離シート付両面粘着テープ１は、例えば、図２に示すような、不織布からなる基材布１１と、所定のパターン形状にて上記基材１１上に配設されるコード状ヒータ１２とからなるヒータユニット２０に２列で貼り付けられる。ヒータユニットの詳細な態様については、例えば、上記特許文献２などを参照できる。なお、剥離シート付両面粘着テープ１は、ヒータユニット２０の基材布１１におけるコード状ヒータ１２を配設した側の面に貼り付けてもよいし、コード状ヒータ１２を配設しない側の面に貼り付けてもよい。
【００１４】
次いで、上記剥離シート付両面粘着テープ１の剥離シート１ｂの端部近傍に、片面粘着テープ２を貼付する。この片面粘着テープ２は、片面に剥離面が形成され、もう一方の面にシリコーン系の粘着剤からなる粘着面が形成されたものである。このとき、片面粘着テープ２は、全面を貼付するのではなく、一部のみを貼付する。貼付しない部分については、例えば、粘着面側を谷にして折り返しておく等すれば、それ以上は貼付されなくなる。
【００１５】
こうすることにより、作業者は、例え軍手等の保護具を装着した状態であっても、片面粘着テープ２を掴持して引き剥がすことで、両面粘着テープ１ａまで剥がしてしまうことなく、剥離シート１ｂのみを剥離することができる。
【００１６】
剥離シート１ｂの表面は、通常、粘着し難くなるように剥離剤が塗布等されている。ここで、剥離シート１ｂと片面粘着テープ２との粘着力が、剥離シート１ｂと両面粘着テープ１ａとの粘着力よりも大きくないと、片面粘着テープ２が剥離シート１ｂから剥がれてしまい、剥離シート１ｂを剥離することができなくなる。そこで、剥離シート１ｂの剥離剤と、上記片面粘着テープ２の粘着材が同系の材料であれば、剥離シート１ｂと片面粘着テープ２とがしっかりと貼付されることになるため好ましい。特に、剥離シート１ｂの剥離剤と、片面粘着テープ２の粘着剤とがシリコーン系の材料から構成されていることが好ましい。
【００１７】
上記の実施の形態においては、剥離シート付両面粘着テープ１をヒータユニット２０に貼り付けた後に、片面粘着テープ２を剥離シート１ｂに貼付したが、予め、片面粘着テープ２を剥離シート１ｂに貼付しておき、その後、剥離シート付両面粘着テープ１をヒータユニット２０に貼り付けても良い。また、上記の実施の形態において、剥離シート付両面粘着テープ１は２列であったが、勿論、３列又はそれ以上となっても良い。
【００１８】
剥離シート付両面粘着テープ１や片面粘着テープ２についても、上記実施の形態のものに限定されることはなく、公知の種々粘着テープを使用することができる。
【産業上の利用可能性】
【００１９】
以上詳述したように本発明によれば、作業性を大幅に向上した剥離シート付両面粘着テープ、剥離シート付両面粘着テープによる貼付方法、及び、剥離シート付両面粘着テープが貼り付けられた物品を提供することができる。本発明の応用分野は、ヒータユニットに限られず、両面粘着テープを使用した種々の貼付の態様に応用することが可能である。また、貼り直しがきかないものへの接着や、比較的接着しにくいものへの接着には有効である。例えば、封筒、障子、襖などの紙製品への適用、接着層との接触面積が少ない多孔体や表面凹凸形状の物品等への適用、貼り直すことで接着層の接着性が低下してしまう布材、皮材、メッキ製品、塗装品への適用、など種々の態様が考えられる。
【符号の説明】
【００２０】
１  剥離シート付両面粘着テープ
１ａ  両面粘着テープ
１ｂ  剥離シート
２  片面粘着テープ
１１  基材布
１２  コード状ヒータ
２０  ヒータユニット
【図１】
2012017397.tif 000003
【図２】
2012017397.tif 000004